(57)【要約】【課題】  商品陳列棚のプライスレール(3)の前方に配置され販促用カード(C)を保持するカードホルダー(1)と、前記カードホルダー(1)を取付ける取付け部材(2)と、前記カードホルダー(1)を回動自在に保持するヒンジ部(5)とからなる商品陳列棚の表示具において、簡単な構造で前記カードホルダー(1)を回動自在とすると共に、耐久性及び演出効果を向上させること。【解決手段】  ヒンジ部(5)は、カードホルダー(1)に一体形成される第１係合部(6)と、取付け部材(2)に一体形成される第２係合部(7)からなり、前記第１係合部(6)及び第２係合部(7)は、螺旋状に湾曲され且つ下方に開放する略円形の鉤状であり、前記第１係合部(6)は、前記第２係合部(7)に外嵌されると共に回動時に先端部(61)が前記第２係合部(7)の開放部(70)に挿入されるようにしたこと。【選択図】  図２
2005073847.tif 000002
【特許請求の範囲】
【請求項１】
商品陳列棚の棚板の前端部に長手方向に沿って設けられるプライスレールの前方に配置され、陳列商品に関する情報や価格等が表示されたカード類を保持する透明樹脂製のカードホルダーと、
前記カードホルダーを前記棚板に着脱自在に取付けるための取付け部材と、
前記取付け部材に前記カードホルダーを回動自在に保持させるためのヒンジ部とからなる商品陳列棚の表示具において、
前記ヒンジ部は、前記カードホルダーの上端部に一体形成される第１係合部と、前記取付け部材に一体形成される第２係合部とからなり、
前記第１係合部及び第２係合部は、先端側の曲率が大きくなるように螺旋状に後方に湾曲されると共に先端において下方に開放する略円形の鉤状に形成されており、
前記第１係合部は、前記第２係合部に着脱自在且つ回動自在に外嵌されると共に、前記カードホルダーを通常の使用態様から回動させるときに、前記第１係合部の先端部が前記第２係合部の先端に形成された開放部に挿入されることを特徴とする商品陳列棚の表示具。
【請求項２】
請求項１に記載の商品陳列棚の表示具において、
前記第１係合部及び第２係合部は、通常の使用態様において前記棚板の前後方向に長径を有する略楕円形の鉤状であり、
前記第１係合部の先端に形成された開放部の幅は、前記第２係合部の外部短径よりも小さく形成されると共に、前記第１係合部の先端部の長径方向の長さは、前記第２係合部の内部長径よりも小さく形成されることを特徴とする商品陳列棚の表示具。
【請求項３】
請求項１又は２に記載の商品陳列棚の表示具において、
前記第２係合部の先端部は、前記開放部の幅が前記第２係合部の内側に向かって拡大するように斜めに形成にされることを特徴とする商品陳列棚の表示具。
【請求項４】
請求項１から３のいずれかに記載の商品陳列棚の表示具において、
前記取付け部材は、前記第２係合部が前記棚板の前端縁よりも前方に突出する態様で取付けられることを特徴とする商品陳列棚の表示具。
【請求項５】
請求項１から４のいずれかに記載の商品陳列棚の表示具において、
前記第２係合部は、後方に所定角度だけ傾斜するように形成されることを特徴とする商品陳列棚の表示具。
【請求項６】
請求項１から５のいずれかに記載の商品陳列棚の表示具において、
前記取付け部材にはプライスレールが連設されていることを特徴とする商品陳列棚の表示具。
【請求項７】
請求項１から６のいずれかに記載の商品陳列棚の表示具において、
前記カードホルダーは前方に突出するように湾曲されていることを特徴とする商品陳列棚の表示具。
【請求項８】
請求項１から７のいずれかに記載の商品陳列棚の表示具において、
前記取付け部材は透明樹脂材から形成されることを特徴とする商品陳列棚の表示具。
【請求項９】
請求項１から８のいずれかに記載の商品陳列棚の表示具において、
前記カードホルダーは前記プライスレールと略同じ長さを有することを特徴とする商品陳列棚の表示具。
【発明の詳細な説明】
【技術分野】
【０００１】
本発明は、商品陳列棚の表示具に関するものである。特に、商品陳列棚の前端部に設けられるプライスレールの前方にポップ紙などの販促用カードを保持するカードホルダーを回動自在に配置する商品陳列棚の表示具に関する。
【背景技術】
【０００２】
スーパーマーケットなどの商品陳列棚の前端部には、商品価格を表示するプライスカードを保持させるためのプライスレールが設けられている。
【０００３】
前記プライスカードには、陳列された商品の名称や価格に加えて、店舗側の商品管理用のバーコードや管理番号などの管理情報も記載されており、商品補充や棚卸のときにカードリーダーで管理情報を読み取ることで迅速且つ確実に商品の発注や在庫管理ができるようになっている。
【０００４】
前記プライスレールは、通常、商品陳列棚の棚板への商品の陳列の邪魔にならないように、前記棚板の板厚と同じ程度のレール幅に設定されており、前記プライスレールのレール幅に合わせた大きさのプライスカードでは買物客に商品を十分アピールすることができない。そのため、多くの売場では、特売品や広告の品、催事品などを目立たせるために、商品名や商品価格、商品の特徴、特売期間などの情報を大きく表示したポップ紙などの販促用カードを透明なカードホルダーに保持させて、前記プライスレールの前方に重ね合わせるように取付けることで、商品をアピールするという方法を取っている。
【０００５】
このような商品陳列棚の表示具の一例として、図１１に示されるようなものがある（特許文献１参照）。
この例のものは、ポップ紙などの販促用カードＣを保持するカードホルダー１と、このカードホルダー１を商品陳列棚に取付ける取付け部材２と、前記カードホルダー１と取付け部材２とを屈曲自在に連接するヒンジ部材５とから構成されている。
【０００６】
前記ヒンジ部材５は柔軟性の高い軟質性合成樹脂材から形成されており、前記取付け部材２を前記商品陳列棚の棚板４の前端部４０に設けられたプライスレール３の上部に取付けると、図１２に示されるように、前記カードホルダー１は自重により前記プライスレール３の前方に重なり合って吊持される。
【０００７】
そして、商品の出し入れや商品管理のためにプライスカードＰに記載された管理情報をカードリーダーで読み取るときには、前記ヒンジ部５から前記カードホルダー１を上方に屈曲させることで前記プライスレール３から移動させて作業することができる。そのため、商品補充や在庫確認の度に前記プライスレール３から前記カードホルダー１を取外す必要がなく作業効率が良い。
【特許文献１】特開平９−２６５２５６号公報
【特許文献２】特開２００１−２５８６９８号公報
【特許文献３】特開２００２−６２８０６号公報
【発明の開示】
【発明が解決しようとする課題】
【０００８】
しかしながら、上記商品陳列棚の表示具においては、硬質合成樹脂材からなるカードホルダー１と取付け部材２とが軟質合成樹脂材からなるヒンジ部５によって連接されているので、繰り返しの屈曲によりヒンジ部５が延びたり破断されやすく耐久性の面で問題がある。また、性質の異なる合成樹脂材を連接させていることで、前記カードホルダー１とヒンジ部５との結合部分の透明度レベルが低くなるから、前記カードホルダー１に保持させた販促用カードの表示や色が不鮮明になり見栄えが悪くなるという問題がある。
【０００９】
上記した例の他にも、前記プライスレール３の前方に前記カードホルダー１を回動自在に配置するものが特開２００１−２５８６９８（特許文献２）に開示されているが、前記カードケース１を揺動自在に保持する複雑なアタッチメントを用いているから製造コストが高いと共に、前記アタッチメントを一つずつ前記カードホルダー１に係合させる必要があるから、商品陳列棚への取付け作業が煩雑である。
【００１０】
本発明は、上記事情を鑑みてなされたものであり、『商品陳列棚の棚板の前端部に長手方向に沿って設けられるプライスレールの前方に配置され、陳列商品に関する情報や価格等が表示されたカード類を保持する透明樹脂製のカードホルダーと、前記カードホルダーを前記棚板に着脱自在に取付けるための取付け部材と、前記取付け部材に前記カードホルダーを回動自在に保持させるためのヒンジ部とからなる商品陳列棚の表示具』において、簡単な構造によって前記カードホルダーを前記棚板の前端部に回動自在に配置することができ、且つ、耐久性及び演出効果の高い商品陳列棚の表示具を提供することを課題とする。
【課題を解決するための手段】
【００１１】
（１）請求項１に係る発明の商品陳列棚の表示具は、『前記ヒンジ部は、前記カードホルダーの上端部に一体形成される第１係合部と、前記取付け部材に一体形成される第２係合部とからなり、
前記第１係合部及び第２係合部は、先端側の曲率が大きくなるように螺旋状に後方に湾曲されると共に先端において下方に開放する略円形の鉤状に形成されており、
前記第１係合部は、前記第２係合部に着脱自在且つ回動自在に外嵌されると共に、前記カードホルダーを通常の使用態様から回動させるときに、前記第１係合部の先端部が前記第２係合部の先端に形成された開放部に挿入される』ことを特徴とするものである。
ここで、通常の使用態様とは、前記カードホルダーがプライスレールの前方に重なり合うように配置されている状態をいう。
【００１２】
これによれば、鉤状の第１係合部と第２係合部との係合によりカードホルダーは取付け部材に回動自在に保持されるから、前記カードホルダーは、前述の従来例と同様に、通常の使用態様においてはプライスレールの前方に配置されるが、前記第１係合部及び第２係合部からなるヒンジ部によって回動させることで前記プライスレールの前方から移動させることができる。
【００１３】
前記第１係合部及び第２係合部は螺旋状に湾曲されているから、前記カードホルダーを回動させると、前記第１係合部の先端部が前記第２係合部の開放部から内側に挿入される。これにより、前記第１係合部と第２係合部の先端部とが係合されるから、前記カードホルダーは前記取付け部材に脱落阻止状態に保持されることとなる。
【００１４】
前記第１係合部及び第２係合部は、湾曲の基端部から１８０度以上の円弧を有する鉤状に形成されるものであり、前記カードホルダーの円滑な回動及び係合のためには、前記基端部から２７０度前後の円弧を有する鉤状に形成されるのが望ましい。
【００１５】
（２）請求項２に係る発明の商品陳列棚の表示具は、『前記第１係合部及び第２係合部は、通常の使用態様において前記棚板の前後方向に長径を有する略楕円形の鉤状であり、
前記第１係合部の先端に形成された開放部の幅は、前記第２係合部の外部短径よりも小さく形成されると共に、前記第１係合部の先端部の長径方向の長さは、前記第２係合部の内部長径よりも小さく形成される』ことを特徴とする。
これによれば、前記第１係合部及び第２係合部を略楕円形状とすることで開放部の幅を大きくすることができるから、前記カードホルダーの回動時に前記第１係合部の先端部を前記第２係合部の開放部にスムーズに挿入させることができる。また、螺旋状の前記第１係合部及び第２の先端部の曲率変化を小さくすることができるから、前記第１係合部及び第２係合部の先端部の曲率調整が容易であり、前記第１係合部及び第２係合部の湾曲部の歪みを低減することができる。
【００１６】
第１係合部の開放部及び第２係合部の外部短径との関係により、通常の使用態様から前記カードホルダーを９０度回転させたときに前記第１係合部の先端部が前記第２係合部内に挿入され、前記第１係合部の先端部の長径方向の長さと第２係合部の内部長径との関係により、前記カードホルダーは通常の使用態様から少なくとも１８０度回転することができる。
【００１７】
（３）請求項３に係る発明の商品陳列棚の表示具は、『前記第２係合部の先端部は、前記開放部の幅が前記第２係合部の内側に向かって拡大するように斜めに形成にされる』ことを特徴とする。これによれば、前記第２係合部の開放部に挿入された第１係合部は、前記先端部に形成された斜面に沿って前記第２係合部の内側へと挿入される。
【００１８】
（４）請求項４に係る発明の商品陳列棚の表示具は、『前記取付け部材は、前記第２係合部が前記棚板の前端縁よりも前方に突出する態様で取付けられる』ことを特徴とする。これによれば、前記カードホルダーが通常の使用態様から１８０度回動された場合にも、前記棚板に陳列された商品に前記ヒンジ部及びカードホルダーが接触しにくい。
【００１９】
（５）請求項５に係る発明の商品陳列棚の表示具は、『前記第２係合部は、後方に所定角度だけ傾斜するように形成される』ことを特徴とする。これによれば、前記取付け部材に保持されるカードホルダーも後方に傾斜されるから、通常の使用態様において前記カードホルダーの表示面が上向きに配置される。
【００２０】
（６）請求項６に係る発明の商品陳列棚の表示具は、『前記取付け部材にはプライスレールが連設されている』ことを特徴とする。これによれば、商品陳列棚に予めプライスレールを設ける必要がないと共に、一度にプライスレールとカードホルダーとを取付けることができる。
【００２１】
（７）請求項７に係る発明の商品陳列棚の表示具は、『前記カードホルダーは前方に突出するように湾曲されている』ことを特徴とする。これによれば、平板状のカードホルダーに保持させる場合に比べて販促用カードを立体的に見せることができる。
【００２２】
（８）請求項８に係る発明の商品陳列棚の表示具は、『前記取付け部材は透明樹脂材から形成される』ことを特徴とする。これによれば、前記カードホルダー及び取付け部材を透過して前記棚板に陳列された商品の色や形を確認することができる。
【００２３】
（９）請求項９に係る発明の商品陳列棚の表示具は、『前記カードホルダーは前記プライスレールと略同じ長さを有する』ことを特徴とする。これによれば、前記プライスレールの前方には、販促用カードによる商品アピールの要否に関わらず常にカードホルダーが配置されることとなる。また、一度の回動動作によって一連のプライスレールの前方に配置された前記カードホルダーを移動させて並列配置される商品の前記プライスカードを読取可能な状態とすることができる。
【発明の効果】
【００２４】
以上のように、請求項１に係る発明によれば、プライスレールの前方に配置されるカードホルダーに商品情報や価格を大きく表示した販促用カードを保持させて陳列商品を買物客にアピールできるから演出効果が高い。また、前記カードホルダーを回動させて前記プライスレールの前方を容易に開放できるから、前記カードホルダーを前記棚板から取外すことなく、商品の補充やプライスカードの管理情報の読み取り等の商品管理作業を行うことができる。
【００２５】
前記カードホルダーの回動時に第１係合部の先端部が取付け部材の第２係合部内に挿入されて脱落阻止状態に係合されるから、前記カードホルダーは回動時にも脱離されることなく前記取付け部材に保持される。
【００２６】
第１係合部と前記カードホルダーとが一体形成されているから、別部材からなるヒンジ部を用いるものに比べてヒンジ部の構造が簡単であり製造コストも低い。また、軟質合成樹脂材からなるヒンジ部のように、前記ヒンジ部が延びたり破断されにくく耐久性が高い。
【００２７】
さらに、別部材からなるヒンジ部のようにヒンジ部近傍の透明度レベルが低下されることがなく、前記カードホルダーを通してポップ紙などの販促用カードの色や文字を鮮明に表示できるから、視覚的な演出効果が高い。
【００２８】
請求項２に係る発明によれば、ヒンジ部を構成する第１係合部と第２係合部を略楕円形の鉤状に形成することで、前記第１係合部の先端部をスムーズに前記第２係合部内に挿入できると共に、第１係合部及び第２係合部の先端部の曲率調整が容易であり、前記第１係合部及び第２係合部の湾曲の歪みを低減できるから、前記取付け部材に対して前記カードホルダーをスムーズに回動させることができる。
【００２９】
また、前記カードホルダーを通常の使用態様から少なくとも１８０度回転できることで、前記カードホルダーが自重によって逆回転せずに回転後の姿勢で維持されるから、商品の補充や管理情報の読み取り作業が行い易い。
【００３０】
請求項３に係る発明によれば、取付け部材の第２係合部の先端を内側に向かって斜めに形成することで、前記第２係合部の開放部に挿入された第１係合部が前記先端部の斜面に案内されて内側へと挿入されるから、前記カードホルダーをよりスムーズに回動させることができる。
【００３１】
請求項４に係る発明によれば、取付け部材の第２係合部を棚板の前方に突出させることで、陳列商品にヒンジ部及びカードホルダーが接触しにくいから、前記カードホルダーによって陳列商品が倒されたり、傷付けられるといった不具合を防止できる。
【００３２】
請求項５に係る発明によれば、第２係合部を後方に傾斜するように形成することで、前記カードホルダーの表示面が上向きに配置されるから、買物客が陳列商品を見下ろす場合に、前記カードホルダーに保持された販促用カードの表示が見やすい。
【００３３】
請求項６に係る発明によれば、取付け部材にプライスレールを連設させることで、商品陳列棚にプライスレールとカードホルダーとを一度に取付けることができるから、取付け作業が容易である。また、プライスカードと販促用カードとを予め保持できるから、前記カードホルダー取付け位置のズレによる商品管理ミスを防止することができる。
【００３４】
請求項７に係る発明によれば、カードホルダーを前方に湾曲させることで、保持された販促用カードを立体的に見せることができるから、平板状の前記カードホルダーに比べて買物客への商品アピール力及び演出効果が高い。
【００３５】
請求項８に係る発明によれば、取付け部材を透明合成樹脂材から形成することで、前記取付け部材及びカードホルダーを透過して商品の色や形を確認できるから、ポップ紙などのカードだけでなく商品自体の外観やパッケージによって買物客により強く商品をアピールすることができる。
【００３６】
請求項９に係る発明によれば、カードホルダーをプライスレールと略同じ長さとすることで、前記プライスレールの前方に常にカードホルダーが配置されるから、必要に応じて販促用カードを前記カードホルダーに保持させたり取外したりするだけでよい。これにより、前記カードホルダーを着脱させる手間及び前記カードホルダーの保管が不要になるため、商品アピールのためのディスプレイに要する労力及び時間を軽減することができる。
【００３７】
また、一度の回動動作によって同じ棚板に並列配置される複数の陳列商品のプライスカードを読取可能な状態とすることができるから、商品補充や商品管理などの作業を簡便に行うことができる。
【発明を実施するための最良の形態】
【００３８】
以下に、本発明を実施するための最良の形態について添付図面を参照しながら説明する。
＜実施の形態１＞
本発明実施の形態の商品陳列棚の表示具の一例を図１に示している。
この例の商品陳列棚の表示具は、スーパーマーケットなどにおいて使用されるごく一般的な商品陳列棚に利用されるものであって、図１及び図２に示されるように、商品情報や価格を大きく表示した販促用カードＣを保持するカードホルダー１と、前記カードホルダー１を商品陳列棚の棚板４の前端部４０に回動自在に取付けるための取付け部材２とから構成されている。前記カードホルダー１及び取付け部材２は、いずれも透明合成樹脂材から形成されており、それぞれの上端部には互いに係合することでヒンジ部５として機能する螺旋状の第１係合部６と第２係合部７が一体形成されている。
【００３９】
商品陳列棚の各棚板４の前端部４０には、陳列商品のプライスカードＰを保持させるためのプライスレール３が前記棚板４の長手方向の全域にわたって設けられている。前記プライスレール３は、前記棚板４の板厚よりも少し大きなレール幅を有するように形成されており、前記棚板４の前端部４０に後側に傾斜する態様で取付けられている。また、前記棚板４には、陳列商品の脱落を阻止するための脱落阻止板４１やおなじ棚板４に配置される陳列商品を区切るための区切り板４２などが設けられている。
【００４０】
前記カードホルダー１は、図３(a)に示されるように、平板状の表面板１１及び背面板１２と、前記背面板１２の上端部に一体形成される螺旋状の第１係合部６とから構成されており、前記プライスレール３と同様に前記棚板４の長手方向と略同じ長さを有している。
【００４１】
前記表面板１１と背面板１２とは、相互間にポップ紙などの販促用カードＣを挟持状態で保持することができるように断面円弧状の屈曲部１３によって連接されており、前記表面板１１は、販促用カードＣの保持又は取外しを行うときに、前記表面板１１と背面板１２とを開きやすいように前記第１係合部６と同程度か前記表面板１１の方が高く形成されている。また、前記表面板１１の上端は前記表面板１１と背面板１２を開いた状態に維持しやすいように膨出部１４が形成されている。
【００４２】
前記第１係合部６は、図３(a)に示されるように、前記背面板１２の上端部を後方に楕円状に湾曲させた鉤状であり、図３(b)に示されるように、前記基端部６３から２７０度弱にわたる円弧を有するように形成されている。また、前記カードホルダー１の回動時に前記第１係合部６の先端部６１が、前記第1係合部６に回動自在に内嵌する第２係合部７の開放部７０に挿入されるように、前記第１係合部６の湾曲が開始される基端部６３の曲率よりも先端部６１の曲率が大きくなるように螺旋状に湾曲されている。
【００４３】
前記取付け部材２は、図２及び図４(b)に示されるように、前記棚板４の板面から直立すると共に上端部に前記カードホルダー１を回動自在に保持する第２係合部が形成された保持部２２と、前記棚板４の前端部４０とプライスカード３との間に嵌入される取付け部２０と、前記棚板４の板面に取付けられる区切り板４２の前端に形成される脚部４３と嵌合する係合片２１とから構成されており、前記棚板４の長手方向に前記カードホルダー１と同じ長さを有している。
【００４４】
前記保持部２２は、図４(a)に示されるように、前記棚板４の板面から所定の高さまで垂直に延びた後、上端部に形成される第２係合部７が前記棚板４の前端縁よりも前方に位置するように緩やかに前側に湾曲しており、前記第２係合部７を後側に傾斜させるために上端部において再び後方へ屈曲させている。
【００４５】
前記取付け部２０は、前記保持部２２から垂下される平面板であり、前記棚板４とプライスレール３との間から不用意に外れることがないように嵌入させるために先端部２００がわずかに屈曲されている。前記係合片２１は、前記保持部２２の下部から前記棚板４の板面から湾曲しながら上方に延びるように形成されており、逆Ｌ字状に屈曲された先端部２１０と前記保持部２２に形成された凸部２３によって前記区切り板４２の脚部４３を挟持できるようになっている。
【００４６】
前記第２係合部７は、図４(a)に示されるように、前記保持部２２の上端部を後方に楕円状に湾曲させた鉤状であり、図４(b)に示されるように、前記基端部７３から２７０度強にわたる円弧を有するように形成され、前記第１係合部６と同様に、湾曲が開始される基端部７３の曲率よりも先端部７１の曲率が大きくなるように螺旋状に湾曲されている。また、前記カードホルダー１を回動させるときに前記第１係合部６の先端部６０が挿入され易いように、前記先端部７１の先端７１０は開放部７０の幅が内側に向かって拡大するように湾曲されている。
【００４７】
この例のものでは、図３(b)及び図４(b)に示すように、前記カードホルダー１を通常の使用態様から９０度回動させたときに、図５(c)のように、前記第１係合部６の先端部６１が前記第２係合部７の開放部７０に挿入されるように、前記第１係合部６の開放部６０の幅Ａを前記第２係合部７の外部短径Ｍよりも小さくなるように設定している。また、図５(e)のように、前記カードホルダー１を１８０度回動できるように、前記第１係合部６の先端部６１の長径方向の長さＢを前記第２係合部７の内部長径Ｌよりも小さくなるように設定している。
【００４８】
前記第１係合部６を、図５に示されるように、前記カードホルダー１を第２係合部７に通常の使用状態である回動角度０度となるように強制的に外嵌させた後(a)、前記カードホルダー１を上方へ回動させていくと、前記第１係合部６と第２係合部７は略楕円状であるから、次第に前記第１係合部６と第２係合部との密な嵌合が解除されて遊嵌状態で嵌り合うようになる(b)。そして、回動角度９０度において、前述したように前記第１係合部６の先端部６１が前記第２係合部７の開放部７０内に挿入され、前記先端部６１，７１相互が係合する(c)。さらに回動させると、前記第１係合部６の先端部６１がより深く前記第２係合部７内に挿入され(d)、最終的には前記第１係合部６の先端部６１全体が前記第２係合部７内に収容される(e)。
【００４９】
このような構成であるから、本発明の商品陳列台の表示具によれば、前記カードホルダー１に商品情報や価格を大きく表示した販促用カードＣを保持させて陳列商品を買物客にアピールすることができ、且つ、前記カードホルダー１を回動させることで前記プライスレール３の前方を開放して商品を補充したり、カードリーダーでプライスカードＰに記載されたバーコード８０や管理番号８１を読み取るなどの商品管理作業を行うことができる。
【００５０】
また、前記ヒンジ部５が、カードホルダー１及び取付け部材２と一体形成される螺旋状の第１係合部６及び第２係合部７から構成されているから、別部材からなるものに比べて前記ヒンジ部５の構造が簡単であるから製造工程及び製造コストが低減されると共に破損又は故障しにくいから耐久性も高い。
【００５１】
この例のものでは、前記第１係合部６及び第２係合部７を楕円形の鉤状に形成しており、略円形のものに比べて前記第２係合部７の開放部７０の幅を大きくできるから、前記第１係合部６の先端部６１の挿入がスムーズであると共に、上述のように前記カードホルダー１の回動時に前記第１係合部６と第２係合部７とが遊嵌状態で嵌り合うから回動時の抵抗が小さく、前記カードホルダー１をスムーズに回動させることができる。
【００５２】
また、略円形のものに比べて第１係合部６及び第２係合部７の先端部６１，７１の曲率変化が小さく、前記先端部６１，７１の曲率調整が容易であるから、形成時に生じる前記先端部６１，７１の湾曲部の歪みを低減することができる。
【００５３】
前記第１係合部６及び第２係合部７は、前記第１係合部６が前記第２係合部７に対して着脱自在且つ回動自在であることに加えて、前記カードホルダー１が９０度回転されたときに前記第１係合部６が第２係合部７内に挿入されるように設定されているから、回動中に前記カードホルダー１が脱離されることなく前記取付け部材２に保持される。また、前記第１係合部６の先端部６１を前記第２係合部７内に収容可能であるから、前記カードホルダー１を少なくとも１８０度は回転させることができる。これにより、前記カードホルダー１が回転後の位置で静止されて自重によって逆回転することがないから、商品の補充やプライスカードＰの読み取りなどの商品管理作業が行い易い。
【００５４】
この例のものでは、前記取付け部材２の保持部２２は、前記第２係合部７が前記棚板４
の前端縁よりも前方に位置するように湾曲されているから、図２の破線で示されるように、前記カードホルダー１を、１８０度回動させても前記カードホルダー１が陳列商品に接触しにくく、前記カードホルダー１によって陳列商品が倒れたり傷付くことを防止することができる。
【００５５】
また、前記第２係合部７が後方に傾斜しているから、前記カードホルダー１も同様に傾斜されて前記表面板１１が上向きとなるから、買物客の目線よりも下側に位置する棚板４に取付ける場合に、前記販促用カードＣの表示が見やすい。さらに、前記第２係合部７の先端７１０が内側に向かって拡大するように湾曲されているから、前記第２係合部７の開放部７０に挿入された第１係合部６が前記先端７１０の曲面に沿って内側に案内されるから、前記カードホルダー１の回動がスムーズである。  
【００５６】
この例のものでは、前記カードホルダー１及び取付け部材２が何れも透明合成樹脂材から形成されていると共に、前記取付け部材２の保持部２２が陳列商品の転止め部材としての機能も果たすことで、前記カードホルダー１及び取付け部材２を透過して陳列商品を視認できるから、前記販促用カードＣだけでなく陳列商品のパッケージや外観によっても買物客に陳列商品をアピールできるため演出効果が高い。
【００５７】
また、前記第１係合部６がカードホルダー１の上端部に一体形成されているから、前記カードホルダー１の透明度レベルが高く、買物客に対して前記販促用カードＣの色や文字を遜色なく鮮明に表示できる。
【００５８】
この例のカードホルダー１は、前記プライスレール３と略同じ長さを有しているから、前記プライスレール３の前方には、販促用カードＣによる商品アピールの要否にかかわらず、常にカードホルダー１が重なり合って配置されている。そのため、必要に応じて前記カードホルダー１の販促用カードＣを保持又は取外すだけで容易にディスプレイを変更できる、前記カードホルダー１を着脱させる手間及び前記カードホルダーの保管が不要であるから、商品アピールのための商品陳列棚のディスプレイに要する労力及び時間を大幅に軽減することができる。また、図１に示すように、店舗からのメッセージカードＣ１や陳列商品の説明書き等の小さな紙片も容易に保持又は取外しできるから、商品陳列棚のディスプレイの幅も広がる。さらに、一度の回動動作によって前記棚板４に設けられた前記プライスレール３の全体を開放でできるから、商品補充や商品管理などの作業を簡便に行うことができる。
【００５９】
＜実施の形態２＞
図６には、プライスレール３を連設させた取付け部材２を示している。
この例の商品陳列棚の表示部は、販促用カードＣを保持するカードホルダー１と、前記カードホルダー１を商品陳列棚の棚板４の前端部４０に回動自在に取付けるための取付け部材２とから構成されている。前述の実施の形態１と同様に、前記カードホルダー１及び取付け部材２の上端部には、ヒンジ部５として機能する螺旋状の第１係合部６と第２係合部７が一体形成されている。前記取付け部材２以外の前記カードホルダー１及びその回動については、前述の実施の形態１と同じ構成となっている。
【００６０】
前記取付け部材２は、図６に示されるように、前記棚板４の前端面４１に添接され前記棚板４の板面に対して垂直に上方に延びる共に、上端部において前記カードホルダー１を回動自在に保持する第２係合部が一体形成される保持部２２と、前記棚板４の前端面４１と転止め部材３０との間に嵌入される取付け部２０と、前記棚板４の前端部４０の裏面に係合する係合片２１と、前記係止片２１と同じ位置から前下がりに延設されるプライスレール３とから構成されている。
【００６１】
前記保持部２２は、前述の実施の形態１と同様に、上端部の第２係合部７が前記棚板４よりも前方に位置し且つ後方へ傾斜するように形成されている。このものでは、前記第２係合部７が前記転止め部材３０と同じ程度の高さとなるように設定されている。
【００６２】
前記取付け部２０は、前記前端部４０に掛着可能であるように屈曲される断面逆Ｌ字状の平面板であり、前記係合片２１は、前記保持部２２から垂下され前記前端面１４に添接される平面板であり、前記取付け部２０の脱出を防止するために前記棚板４の裏面に当接するように先端部２１０が屈曲されている。
【００６３】
前記プライスレール３は、図６及び図７に示されるように、平板状の表面板３１と、前記保持部２０に連接する背面板３２とから構成されており、前記表面板３１と背面板３２とは、相互間にプライスカードＰを挟持状態で保持することができるように断面円弧状の屈曲部３３によって連接されている。また、前記表面板３１の上端部３４は、前記表面板１１と背面板１２とを開きやすいように前方に屈曲されている。
【００６４】
このような構成であるから、この例の商品陳列棚の表示具によれば、商品陳列棚の棚板４に前記プライスレール３とカードホルダー１とを一度の作業で取付けることができるから、取付が容易である。また、前記プライスカードＰと販促用カードＣとを前記棚板４に取付ける前に予め保持させることができるから、前記プライスレール３が既設された棚板４に必要に応じてカードホルダー１を着脱させるものに比べて、前記カードホルダー１の取付け位置のズレや間違いによる商品管理ミスを防止することができる。
【００６５】
＜実施の形態３＞
図８には、商品陳列棚の棚板４の前端部４０に設けられた転止め部材３０に取付ける構成の取付け部材２を示している。
この例の商品陳列棚の表示具は、前述の実施の形態１と同様に、販促用カードＣを保持するカードホルダー１と、前記カードホルダー１を商品陳列棚に回動自在に取付けるための取付け部材２とから構成されており、前記カードホルダー１及び取付け部材２の上端部にはヒンジ部５を構成する螺旋状の第１係合部６と第２係合部７がそれぞれ一体形成されている。前記取付け部材２以外の前記カードホルダー１及びその回動については、前述の実施の形態１と同じ構成となっている。
【００６６】
前記取付け部材２は、図８に示されるように、前記棚板４の前端部４０に設けられた転止め部材３０を前後から挟持する挟持部２４と、前記挟持部２４から前方に延設されると共に、上端部において前記カードホルダー１を回動自在に保持する第２係合部が形成される保持部２２と、前記棚板４の板面に取付けられる区切り板４２の前端に形成される脚部４３と嵌合する係合片２１とから構成されている。
【００６７】
前記挟持部２４は、前記転止め部材３０の上端縁を覆うように取付けられる逆Ｕ字状に形成されており、前面側の先端部２４０は着脱しやすいように前方に屈曲されている。また、前記保持部２２は、前記挟持部２４から緩やかに湾曲しながら上方に延びて第２係合部７が前記転止め部材３０と同じ程度の高さで垂直に配置されるように形成されている。
【００６８】
前記係合片２１は、前記挟持部２４の下端から湾曲しながら上方に延びるように形成されており、逆Ｌ字状の先端部２１０と前記挟持部２４に形成された凸部２３によって前記区切り板４２の脚部４３を挟持できるようになっている。
【００６９】
このような構成であるから、この例の商品陳列棚の表示具によれば、前記棚板４から上方に突出する態様で取付けられた転止め部材３０に上方から前記取付け部材２を外嵌させればよいから、前述の実施の形態１及び２のように、前記棚板４の前端部４０の隙間に平板状の取付け部２０を挿入させるものに比べて取付け作業が容易である。また、前記挟持部２４が前記転止め部材３０に外嵌されていると共に、前記保持部２２が前記転止め部材３０の前方に位置していることによって、前記挟持部２４及び保持部２２が陳列商品の当接によって破損されにくいから耐久性が高い。
【００７０】
＜実施の形態４＞
図１０には、商品陳列棚の棚板４の前方に湾曲するカードホルダー１を有する商品陳列棚の表示具を示している。
この例のものは、販促用カードＣを保持するカードホルダー１と、前記カードホルダー１を商品陳列棚に回動自在に取付けるための取付け部材２とから構成されており、前記カードホルダー１及び取付け部材２の上端部にはヒンジ部５を構成する螺旋状の第１係合部６と第２係合部７がそれぞれ一体形成されている。前記カードホルダー１の表面板１１及び背面板１２以外の取付け部材２や前記カードホルダー１の第１係合部については、前述の実施の形態１と同じ構成となっている。
【００７１】
前記カードホルダー１は、図１０に示されるように、前方に大きく円弧状に湾曲される表面板１１及び背面版１２と、前記表面板１１と背面板１２との間に販促用カードＣを挟持状態で保持できるように前記表面板１１と背面板１２とを連接する断面円弧状の屈曲部１３と、前記屈曲部１３から後方に延びて前記表面板１１及び背面板１２を支持する支持片１５とから構成されている。
【００７２】
前記支持片１５は、前記屈曲部１３から略水平に伸びており、屈曲された先端部１５０が前記プライスレール３の前端に当接することによって、前記表面板１１と背面板１２との間に保持された販促用カードＣを買物客が表示を見やすい位置に支持している。
【００７３】
このような構成であるから、この例の商品陳列棚の表示具によれば、前記カードホルダー１に保持される販促用カードＣを立体的に見せることができるから、平面的なカードホルダー１に保持される販促用カードＣに比べて買物客により強く商品をアピールすることができる。また、前記カードホルダー１とプライスレール３との間に生じる空間を利用して、前記支持片１５の上に小さな販促用マスコットや商品見本、季節の小物などを載置させることができるから、より高い演出効果が期待できる。
【００７４】
＊その他
本発明実施の形態の商品陳列棚の表示具は上記実施の形態に限られるものではない。
前述の実施の形態１において、前記カードホルダー１は、商品陳列棚の棚板４の前端部に設けられたプライスレール３と略同じ長さを有するように形成されているが、保持させる販促用カードＣと略同じ長さとして、アピールが必要な陳列商品のプライスレール３の前方に取付けるものであってもよい。
【図面の簡単な説明】
【００７５】
【図１】本発明実施の形態１の商品陳列棚の表示具の使用態様を示す斜視図である。
【図２】図１の商品陳列棚の表示具の取付け状態を示す断面図である。
【図３】(a)カードホルダーを示す側面図である。(b)カードホルダーの第１係合部を示す拡大図である。
【図４】(a)取付け部材を示す側面図である。(b)取付け部材の第２係合部を示す拡大図である。
【図５】カードホルダーを回動するときの第１係合部と第２係合部との各回動角度における係合状態を示す説明図である。
【図６】本発明実施の形態２の商品陳列棚の表示具に用いられる取付け部材の側面図である。
【図７】図６の取付け部材による商品陳列棚の表示具の取付け状態を示す断面図である。
【図８】本発明実施の形態３の商品陳列棚の表示具に用いられる取付け部材の側面図である。
【図９】図８の取付け部材による商品陳列棚の表示具の取付け状態を示す断面図である。
【図１０】本発明実施の形態４の商品陳列棚の表示具の取付け状態を示す断面図である。
【図１１】従来の商品陳列棚の表示具を示す斜視図である。
【図１２】従来の商品陳列棚の表示具を示す断面図である。
【符号の説明】
【００７６】
１    カードホルダー
２    取付け部材
３    プライスレール
４    棚板
５    ヒンジ部
６    第１係合部
７    第２係合部
６０，７０  開放部
６１，７１  先端部
Ｃ，Ｃ１  販促用カード
Ｐ    プライスカード
【図１】
2005073847.tif 000003
【図２】
2005073847.tif 000004
【図３】
2005073847.tif 000005
【図４】
2005073847.tif 000006
【図５】
2005073847.tif 000007
【図６】
2005073847.tif 000008
【図７】
2005073847.tif 000009
【図８】
2005073847.tif 000010
【図９】
2005073847.tif 000011
【図１０】
2005073847.tif 000012
【図１１】
2005073847.tif 000013
【図１２】
2005073847.tif 000014